(57)【要約】  【課題】  使用済みのホルダ部材を書類用ホルダとして再利用することができる包装体を提供すること。  【解決手段】  ホルダ部材２の開放辺２ｃ，２ｄから、被包装物１０がホルダ部材２の矩形状シート２１，２２間へ挿入され、そのままホルダ部材２がホルダ部材３の矩形状シート３１，３２間へ狭入される。ホルダ部材２がホルダ部材３に対して平面視した状態でほぼ重なり合わせられると、ホルダ部材２の折曲辺２ａがホルダ部材３の開放辺３ｃと一致され、被包装物１０の周囲四辺はホルダ部材２，３の閉塞辺２ｃ，２ｄ，３ｃ，３ｄによって囲繞されて閉塞される。被包後は、封緘シール３３，３３，３３によって、ホルダ部材３の開放辺３ｃ，３ｄが部分的に綴じられ、ホルダ部材２，３が相互に綴じ合わせられて封緘される。【選択図】        図３
0003114383.tif 000002
【実用新案登録請求の範囲】
【請求項１】
被包装物を被包して封緘するための包装体において、
表裏に重なる一対の矩形状シートと、その一対の矩形状シートを互いの直交する２つの縁辺で連設して形成される閉塞辺と、その閉塞辺を除く縁辺が開放されたものであって前記一対の矩形状シート間に通じる開放辺とを有する一組のホルダ部材と、
その一組のホルダ部材により被包装物が被包される場合に、その一組のホルダ部材における一方及び他方を綴じ合わせて封緘する封緘部材とを備えており、
前記一組のホルダ部材は、
その一方のホルダ部材における前記一対の矩形状シートのうち少なくとも一方を、他方のホルダ部材における前記一対の矩形状シート間へ狭入させて、
その一組のホルダ部材における２枚の前記矩形状シートを被包装物の表裏両側にそれぞれ積層させ、
その被包装物の周囲を前記一組のホルダ部材における前記各閉塞辺により囲繞することによって被包装物を被包するものであることを特徴とする包装体。
【請求項２】
前記一方のホルダ部材は、
それの前記一対の矩形状シートの双方がともに前記他方のホルダ部材における前記一対の矩形状シート間に狭入されるものであり、
その一方のホルダ部材における前記開放辺は、前記他方のホルダ部材の前記閉塞辺によって閉塞されるものであることを特徴とする請求項１記載の包装体。
【請求項３】
前記一方のホルダ部材は、
前記他方のホルダ部材に比べて横幅又は縦幅の少なくとも一方が小さく形成されており、
その一方のホルダ部材が前記他方のホルダ部材に狭入される場合に、その一方のホルダ部材における横幅方向又は縦幅方向の少なくとも一方にある閉塞辺が、前記他方のホルダ部材の開放辺と一致又はそれより内側に位置するものであることを特徴とする請求項２記載の包装体。
【請求項４】
前記封緘部材は、開封の痕跡が残存する封印シールで形成されていることを特徴とする請求項１から３のいずれかに記載の包装体。
【請求項５】
前記一組のホルダ部材は透明の可撓性樹脂で形成されていることを特徴とする請求項１から４のいずれかに記載の包装体。
【請求項６】
前記一組のホルダ部材は、前記矩形状シートのうち少なくとも被包装物に対する表裏１枚ずつが不透明であり、前記矩形状シートのうち残りのものが透明であることを特徴とする請求項１から５のいずれかに記載の包装体。
【考案の詳細な説明】
【技術分野】
【０００１】
本考案は、被包装物を被包して封緘するための包装体に関するものである。
【背景技術】
【０００２】
従来、紙製の封筒などの包装体は、書類などの被包装物の輸送に使用された後に開封されると、その多くのものが再利用されることなく廃棄されていた。また、使用済みの包装体を有効に再利用を図るべく、実用新案登録第３１０６９４７号公報には、輸送時に封筒の形態を呈し、その使用済みとなった後に封筒の一部を切除することで、書類の整理用のクリアファイル（又はクリアホルダ）などの書類用ホルダとして再利用可能な封筒一体型クリアファイルが記載されている。
【考案の開示】
【考案が解決しようとする課題】
【０００３】
しかしながら、上記した封筒一体型クリアファイルは、再利用されるクリアファイルを取得するために、封筒に予め設けられたミシン目又は切取線に沿ってハサミなどの刃物で切断する必要もあるため、その封筒の製造にも、クリアファイルの取得に伴う作業にも手間がかかり、更に、ハサミなどの刃物で切断する際に切り口が歪んで、クリアファイルが不格好となってしまうという問題点があった。また、クリアファイルから除去される残りの部分には何の利用価値もないので、それを再利用できず廃棄しなければならないという問題点があった。
【０００４】
本考案は、上述した問題点を解決するためになされたものであって、使用済みのホルダ部材を書類用ホルダとして再利用することができる包装体を提供することを目的としている。
【課題を解決するための手段】
【０００５】
この目的を達成するために請求項１記載の包装体は、被包装物を被包して封緘するためのものであり、表裏に重なる一対の矩形状シートと、その一対の矩形状シートを互いの直交する２つの縁辺で連設して形成される閉塞辺と、その閉塞辺を除く縁辺が開放されたものであって前記一対の矩形状シート間に通じる開放辺とを有する一組のホルダ部材と、その一組のホルダ部材により被包装物が被包される場合に、その一組のホルダ部材における一方及び他方を綴じ合わせて封緘する封緘部材とを備えており、前記一組のホルダ部材は、その一方のホルダ部材における前記一対の矩形状シートのうち少なくとも一方を、他方のホルダ部材における前記一対の矩形状シート間へ狭入させて、その一組のホルダ部材における２枚の前記矩形状シートを被包装物の表裏両側にそれぞれ積層させ、その被包装物の周囲を前記一組のホルダ部材における前記各閉塞辺により囲繞することによって被包装物を被包するものである。
【０００６】
この請求項１記載の包装体によれば、被包装物が被包される場合、まず、一方のホルダ部材における開放辺から、そのホルダ部材の矩形状シート間へ被包装物が挿入される。この被包装物の挿入後、その一方のホルダ部材における少なくとも一枚の矩形状シートが、他方のホルダ部材の矩形状シート間へ狭入される。このとき、少なくとも合計４枚ある矩形状シートうち、２枚を被包装物の表側に、残る２枚を被包装物の裏側に、それぞれ積層させて、被包装物を包み込む。
【０００７】
それから、一組のホルダ部材の双方がほぼ一致するまで重ねられると、被包装物の周囲四辺は各ホルダ部材の閉塞辺によって囲繞されかつ閉塞される。このように被包装物が一組のホルダ部材によって被包されると、封緘部材によって、一方のホルダ部材と他方のホルダ部材とが綴じ合わせられて、被包装物が一組のホルダ部材内に封緘される。
【０００８】
一方、被包装物を取り出す場合には、封緘部材が一組のホルダ部材から取り外され、一方のホルダ部材が他方のホルダ部材の開放辺から抜脱されると、被包装物の被包が解除されて、被包装物が一組のホルダ部材内から取り出される。そして、被包装物の取り出し後、一組のホルダ部材は、その開放辺から矩形状シート間へ書類用紙などを狭入し、且つ、直交する２辺の閉塞辺により保持することのできる書類用ホルダとして再利用することができる。
【０００９】
請求項２記載の包装体は、請求項１記載の包装体において、前記一方のホルダ部材は、それの前記一対の矩形状シートの双方がともに前記他方のホルダ部材における前記一対の矩形状シート間に狭入されるものであり、その一方のホルダ部材における前記開放辺は、前記他方のホルダ部材の前記閉塞辺によって閉塞されるものである。
【００１０】
この請求項２記載の包装体によれば、請求項１記載の包装体と同様の作用及び効果を奏する上、他方のホルダ部材における一対の矩形状シート間には、一方のホルダ部材における双方の矩形状シートがいずれも狭入されるので、他方のホルダ部材の内側に狭入された方のホルダ部材を、外側にあるホルダ部材によって保護することができる。よって例えば、本考案の包装体における外側にあるホルダ部材が輸送中などに損傷して書類用ホルダとして再利用できなくても、少なくとももう一方のホルダ部材を再利用することができる。
【００１１】
請求項３記載の包装体は、請求項２記載の包装体において、前記一方のホルダ部材は、前記他方のホルダ部材に比べて横幅又は縦幅の少なくとも一方が小さく形成されており、その一方のホルダ部材が前記他方のホルダ部材に狭入される場合に、その一方のホルダ部材における横幅方向又は縦幅方向の少なくとも一方にある閉塞辺が、前記他方のホルダ部材の開放辺と一致又はそれより内側に位置するものである。
【００１２】
この請求項３記載の包装体によれば、請求項２記載の包装体と同様の作用及び効果を奏する上、他方のホルダ部材の内側（一対の矩形状シート間）に狭入される一方のホルダ部材は、その閉塞辺のうち少なくとも一方は、他方のホルダ部材の開放辺よりも外側へ突出することが抑制されるので、その一方のホルダ部材における閉塞辺が包装体の輸送中に損傷することが抑制される。よって、例えば、本考案の包装体における内側にあるホルダ部材の閉塞辺までもが損傷して、書類用ホルダとしての機能を果たし得なくなるような事態を回避できる。
【００１３】
請求項４記載の包装体は、請求項１から３のいずれかに記載の包装体において、前記封緘部材は、開封の痕跡が残存する封印シールで形成されている。よって、この請求項４記載の包装体によれば、請求項１から３のいずれかに記載の包装体と同様の作用及び効果を奏する上、例えば、輸送途中で不正開封されたような場合には開封の痕跡が残存するので、不正行為を抑止することができる。
【００１４】
請求項５記載の包装体は、請求項１から４のいずれかに記載の包装体において、前記一組のホルダ部材は透明の可撓性樹脂で形成されている。
【００１５】
この請求項５記載の包装体によれば、請求項１から４のいずれかに記載の包装体と同様の作用及び効果を奏する上、被包装物が包装された状態では、その包装体の一部を切除するなどして被包装物を確認する必要がある場合、例えば、書籍小包用の包装体として利用される場合には、その中身の被包装物を包装体の一部を開封することなく確認できる。一方、書類用ホルダとしてホルダ部材を再利用する場合には、そのホルダ部材内に書類を保持したままでも、そのホルダ部材内の書類の有無や書類の内容を確認することができる。
【００１６】
請求項６記載の包装体は、請求項１から５のいずれかに記載の包装体において、前記一組のホルダ部材は、前記矩形状シートのうち少なくとも被包装物に対する表裏１枚ずつが不透明であり、前記矩形状シートのうち残りのものが透明である。
【００１７】
この請求項６記載の包装体によれば、請求項１から５のいずれかに記載の包装体と同様の作用及び効果を奏する上、少なくとも表裏１枚ずつの不透明の矩形状シートによって被包装物が被包されるので、かかる被包装物が秘密性を保持できる。しかも、開封後にホルダ部材を書類用ホルダとして再利用する場合には、矩形状シートのうち透明なものからホルダ部材内の書類の内容等を確認することもできる。
【考案の効果】
【００１８】
本考案の包装体によれば、包装体として被包装物を包装していた一組のホルダ部材を、その包装の開封後において書類用ホルダとして再利用することができるという効果がある。しかも、封緘部材を除去するだけで一組のホルダ部材を分離して、その一組のホルダ部材をそれぞれ書類用ホルダとして再利用できるので、ハサミなど刃物を使った切り抜きにより書類用ホルダが不格好となる虞もない。しかも、書類用ホルダとして一組のホルダ部材を取得する場合に、無駄な残材が生じることもない。また、ミシン目や切取線を予め設ける必要もないので、その分、製造工程を簡素化でき、製造コストも削減できるという効果がある。
【考案を実施するための最良の形態】
【００１９】
以下、本考案の好ましい実施例について、添付図面を参照して説明する。図１は、本考案の一実施例である包装体１の分解状態を示す平面図であり、図中では、包装体１に使用されるホルダ部材２，３の一部を捲り上げた状態、を図示している。図１に示すように、包装体１は、２枚一組のホルダ部材２，３を備えており、これらのホルダ部材２，３はいずれも可撓性樹脂材料製のシート材で形成されている。
【００２０】
具体的に、ホルダ部材２，３は、いずれも１枚のシート材を縁辺（折曲辺）２ａ，３ａで二つ折りに折り重ねたものであり、ホルダ部材２については２枚の矩形状シート２１，２２を、ホルダ部材３については２枚の矩形状シート３１，３２を、それぞれ上下に重ねた形態とされている。そして、ホルダ部材２は、折曲辺２ａに対して略Ｌ字状に直交隣接する縁辺（溶着辺）２ｂにおいて矩形状シート２１，２２が溶着されており、同様に、ホルダ部材３も、折曲辺３ａに対して略Ｌ字状に直交隣接する縁辺（溶着辺）３ｂで矩形状シート３１，３２が溶着されている。
【００２１】
また、ホルダ部材２は、縁辺２ａ，２ｂを除く残りの２つの縁辺（開放辺）２ｃ，２ｄが開放されており、この開放辺２ｃ，２ｄが各矩形状シート２１，２２間へと通じている。また同様に、ホルダ部材３における縁辺（開放辺）３ｃ，３ｄも開放され各矩形状シート３１，３２間と通じている。
【００２２】
更に、ホルダ部材２は、ホルダ部材３に対して、横幅（短辺方向長さ）が差分ΔＷ分だけ短くされており（Ｗ１＜Ｗ２）、縦幅（長辺方向長さ）も一定長さ分だけ短く形成されている（Ｌ１＜Ｌ２）。よって、ホルダ部材２がホルダ部材３の矩形状シート３１，３２間へ狭入されて重ね合わせられる場合（図３参照）、ホルダ部材２がホルダ部材３の縁辺３ｃ，３ｄから突出してはみ出すことが防止される。
【００２３】
ホルダ部材３における矩形状シート３２には、開放辺３ｃ，３ｄにそれぞれ封緘シール３３が合計３箇所に貼着されている（図中点線部分）。この３枚の封緘シール３３は、一度貼付した後に剥離すると元通りに復元不能となる機能を有する粘着シール（いわゆる封印シール）で形成されており、例えば、一度貼付した後に剥離すると「開封済み」などの文字が現出ものである。そして、この封緘シール３３における未貼着部分（図中実線部分）には、その粘着面を保護するための剥離紙３３ａが予め剥離可能に貼着されている。
【００２４】
なお、封緘シート３３は、予めホルダ部材３に貼着された状態で包装体１の利用者に対して提供されても良く、或いは、包装体１の利用者への提供時には、封緘シート３３とホルダ部材３とが分離した状態となっていても良い。
【００２５】
次に、図２及び図３を参照して、包装体１による被包装物１０の包装方法について説明する。図２は、ホルダ部材２をホルダ部材３へ狭入させる途中状態を示した平面図であり、図３（ａ）は、ホルダ部材２をホルダ部材３へ完全に狭入させた状態を示した平面図であり、  図３（ｂ）は、図３（ａ）のＢ−Ｂ線における概略断面図である。
【００２６】
被包装物１０を包装する場合には、まず、ホルダ部材２の開放辺２ｃ，２ｄから、被包装物１０がホルダ部材２の矩形状シート２１，２２間へ挿入される。この被包装物１０の挿入後、図２に示すように、被包装物１０を狭持した状態のまま、ホルダ部材２がホルダ部材３の矩形状シート３１，３２間へ狭入される。このとき、ホルダ部材２の裏側にある矩形状シート２２がホルダ部材３の裏側にある矩形状シート３２の上側に載上され、ホルダ部材２の表側にある矩形状シート２１がホルダ部材３の表側にある矩形状シート３１の下側に潜入させられる。
【００２７】
そして、図３（ａ）に示すように、ホルダ部材２がホルダ部材３に対して平面視した状態でほぼ重なり合わせられると、ホルダ部材２の折曲辺２ａがホルダ部材３の開放辺３ｃと一致され、ホルダ部材２の溶着辺２ｂがホルダ部材３の開放辺３ｄと一致させられて、ホルダ部材２がホルダ部材３よりも外側へ飛び出すことが抑制される。そして、このように、ホルダ部材２がホルダ部材３の内側に完全に狭入されると、被包装物１０の周囲四辺はホルダ部材２，３の閉塞辺２ｃ，２ｄ，３ｃ，３ｄによって囲繞されて閉塞される。
【００２８】
しかも、図３（ｂ）に示すように、このときに被包装物１０の表側（図３（ｂ）上側）には、ホルダ部材２，３の表側にある２枚の矩形状シート２１，３１が積層される一方、被包装物１０の裏側（図３（ｂ）下側）には、ホルダ部材２，３の裏側にある２枚の矩形状シート２２．３２が積層されて、被包装物１０が包み込まれる。
【００２９】
このように被包装物１０が一組のホルダ部材２，３によって被包された後は、封緘シール３３，３３，３３から剥離紙３３ａが剥がされ、封緘シール３３，３３，３３の粘着面がホルダ部材３の表側にある矩形状シート３１に貼着されると、ホルダ部材３の開放辺３ｃ，３ｄが部分的に綴じられ、ホルダ部材２，３が相互に綴じ合わせられて封緘される。
【００３０】
一方、被包装物１０を取り出す場合には、封緘シール３３，３３，３３がホルダ部材３から取り外され、ホルダ部材２がホルダ部材３の開放辺３ｃ，３ｄから抜脱されると、被包装物１０の被包が解除されて、被包装物１０がホルダ部材２内から取り出される。そして、被包装物１０の取出し後は、ホルダ部材２，３を、いわゆるクリアホルダなどの書類用ホルダとして再利用することができる。
【００３１】
ここで、ホルダ部材２，３における矩形状シート２１，２２，３１，３２は、その必要性に応じて透明又は不透明とすることができる。例えば、被包装物１０が外部から視認されても構わないような広告やパンフレットなどの企業の宣伝媒体である場合には、全ての矩形状シート２１，２２，３１，３２を透明に形成して、積極的に包装体１内の被包装物１０を視覚的に露出させるようにすることができる。
【００３２】
また、被包装物１０における少なくとも片面が視認されては困るような場合、例えば、図３（ｂ）に示す被包装物１０の表側（図３（ａ）上側）を外部から視認させたくない場合には、被包装物１０の表側に積層されるホルダ部材２の矩形状シート２１又はホルダ部材３の矩形状シート３１の少なくともいずれか一方を不透明に形成するか、矩形状シート２１，３１が積層された状態で不透明となるように両シート２１，３１の透明度を予め調整しておくか、或いは、透明な矩形状シート２１，３１であっても被包装物１０と矩形状シート２１との間に不透明な保護用シート（図示せず）を介在させる。なお、かかる場合、不透明となる矩形状シート２１，３１のいずれか一方や、上記した保護用シートには、企業の広告などの宣伝内容を印刷するようにしても良い。
【００３３】
更に、被包装物１０全体を視認されては困るような場合には、例えば、ホルダ部材２の矩形状シート２１又はホルダ部材３の矩形状シート３１のうち少なくともいずれか一方を不透明とし、更に、ホルダ部材２の矩形状シート２２又はホルダ部材３の矩形状シート３２のうちいずれか少なくとも一方を不透明とする。
【００３４】
具体的には、ホルダ部材２の矩形状シート２１及びホルダ部材３の矩形状シート３２を不透明とするか、ホルダ部材３の矩形状シート３１及びホルダ部材２の矩形状シート２２を不透明とするか、又は、ホルダ部材２の矩形状シート２１，２２の双方、若しくは、ホルダ部材３の矩形状シート３１，３２の双方を不透明とするのである。さすれば、包装体１により被包された被包装物１０は、その上下が不透明に覆われるので、かかる包装体１の輸送中に他人に覗き見られることが防止される。
【００３５】
なお、この場合、矩形状シート２１，３１，２２，３２が個別には透明であっても、矩形状シート２１，３１が積層された状態で不透明となるように、且つ矩形状シート２２，３２が積層された状態で不透明となるように、矩形状シート２１，３１，２２，３２の透明度を予め調整しても良い。また或いは、図３（ｂ）に示す被包装物１０の表裏面（図３（ｂ）の上下側）と各ホルダ部材２の矩形状シート２１，２２間に、上記した保護用シートをそれぞれ介在させるようにしても良い。
【００３６】
ところで、本願の実用新案登録請求の範囲及び明細書において、透明とは、一般的に「透明」が意味する無色透明などの語意に加えて、包装体１に被包される被包装物１０に表記される文字などを判読可能な程度の半透明を含み、逆に、不透明とは、一般的に「不透明」が意味する語意に加えて、包装体１に被包される被包装物１０に表記される文字などを判読不能な半透明を含んでいる概念である。
【００３７】
次に、図４及び図５を参照して、上記実施例の変形例について説明する。図４は、第２実施例の包装体１００の分解状態を示す平面図であり、図５（ａ）は、ホルダ部材４をホルダ部材３へ完全に狭入させた状態を示した平面図であり、  図５（ｂ）は、図５（ａ）のＢ−Ｂ線における概略断面図である。
【００３８】
第２実施例の包装体１００は、上記した第１実施例の包装体１に対して、一組のホルダ部材３，４のサイズを同じにして被包装物１０の包装態様および封緘態様を変更したものである。以下、第１実施例と同一の部分には同一の符号を付して、その説明を省略し、異なる部分のみを説明する。
【００３９】
図４に示すように、ホルダ部材４は、３枚の封緘シール３３の配置箇所が異なることを除いて、ホルダ部材３と同一サイズかつ同一形態のものであり、表裏に重なる矩形状シート４１，４２、折曲辺４ａ、溶着辺４ｂ、及び、開放辺４ｃ，４ｄをそれぞれ備えている。また、ホルダ部材４における表側の矩形状シート４１には、開放辺４ｃ，４ｄにそれぞれ封緘シール３３が合計３箇所に貼着されている。
【００４０】
この第２実施例の包装体１００によれば、図５に示すように、被包装物１０を狭持したホルダ部材４の裏側にある矩形状シート４２は、ホルダ部材３の矩形状シート３１，３２間へ狭入される。そして、ホルダ部材３の表側にある矩形状シート３１は、ホルダ部材４の矩形状シート４１，４２間へ狭入され、且つ、その矩形状シート４１と被包装物１０の表面との間へ狭入される。
【００４１】
その後、図５（ａ）に示すように、ホルダ部材４がホルダ部材３に対して平面視した状態でほぼ重なり合わせられると、ホルダ部材４の折曲辺４ａがホルダ部材３の開放辺３ｃとほぼ合致され、ホルダ部材４の溶着辺４ｂがホルダ部材３の開放辺３ｄとほぼ合致させられて、被包装物１０の周囲四辺がホルダ部材４，３の閉塞辺４ｃ，４ｄ，３ｃ，３ｄによって囲繞されて閉塞される。
【００４２】
しかも、図５（ｂ）に示すように、被包装物１０の表側（図５（ｂ）上側）には、ホルダ部材４，３の表側にある２枚の矩形状シート４１，３１が積層される一方、被包装物１０の裏側（図５（ｂ）下側）には、ホルダ部材４，３の裏側にある２枚の矩形状シート４２．３２が積層されて、被包装物１０が包み込まれる。
【００４３】
このように被包装物１０が一組のホルダ部材４，３によって被包された後は、６枚の封緘シール３３から剥離紙３３ａが剥がされると、そのうちホルダ部材３にある３枚の封緘シール３３の粘着面がホルダ部材４の表側にある矩形状シート４１に貼着され、ホルダ部材４にある３枚の封緘シール３３の粘着面がホルダ部材３の裏側にある矩形状シート３２に貼着されて、ホルダ部材４，３が相互に綴じ合わせられて封緘される。一方、被包装物１０が取り出された後は、ホルダ部材４，３を、いわゆるクリアホルダなどの書類用ホルダとして再利用することができる。
【００４４】
以上、実施例に基づき本考案を説明したが、本考案は上記実施例に何ら限定されるものではなく、本考案の趣旨を逸脱しない範囲内で種々の改良変形が可能であることは容易に推察できるものである。例えば、第１実施例では、ホルダ部材２の縦幅及び横幅がホルダ部材３に比べて小さく形成されたが、ホルダ部材２のサイズは必ずしもこれに限定されるものではなく、ホルダ部材２のホルダ部材３と同サイズ、又は、ホルダ部材２の縦幅又は横幅のいずれか一方のみがホルダ部材３に比べて小さいものであっても良い。
【図面の簡単な説明】
【００４５】
【図１】本考案の一実施例である包装体の分解状態を示す平面図である。
【図２】一方のホルダ部材を他方のホルダ部材へ狭入させる途中状態を示した平面図である。
【図３】（ａ）は、一方のホルダ部材を他方のホルダ部材へ完全に狭入させた状態を示した平面図であり、（ｂ）は、（ａ）のＢ−Ｂ線における概略断面図である。
【図４】第２実施例の包装体の分解状態を示す平面図である。
【図５】（ａ）は、一方のホルダ部材を他方のホルダ部材へ完全に狭入させた状態を示した平面図であり、 （ｂ）は、（ａ）のＢ−Ｂ線における概略断面図である。
【符号の説明】
【００４６】
１，１００                包装体
２，４                    ホルダ部材（一方のホルダ部材）
２ａ，３ａ                折曲辺（閉塞辺の一部）
２ｂ，２ｂ                溶着辺（閉塞辺の一部）
２ｃ，２ｄ，３ｃ，３ｄ    縁辺（開放辺）
３                        ホルダ部材（他方のホルダ部材）
１０                      被包装物
２１，２２                矩形状シート（一対の矩形状シート）
３１，３２                矩形状シート（一対の矩形状シート）
３３                      封緘シール
４１，４２                矩形状シート（一対の矩形状シート）
Ｗ１，Ｗ２                横幅
Ｌ１，Ｌ２                縦幅
【図１】
0003114383.tif 000003
【図２】
0003114383.tif 000004
【図３】
0003114383.tif 000005
【図４】
0003114383.tif 000006
【図５】
0003114383.tif 000007